(57)【要約】【課題】低電圧基板及び高電圧基板への電気部品の配線の接続作業を容易にする。【解決手段】前面に配置された電装品ユニット１４内に収容された低電圧基板４２に、比較的低電圧で駆動する電気部品である電磁弁、フラップモータを接続するための中継コネクタ９１の一端を接続する。また、電装品ユニット１４内に配置されており低電圧基板４２と水平方向に近接している高電圧基板４３に、比較的高電圧で駆動する電気部品であるファンモータを接続するための中継コネクタ９１の一端を接続する。これら中継コネクタ９１の低電圧基板４２又は高電圧基板４３に接続された一端とは反対の他端に設けられたコネクタ部を、電装品ユニット１４の水平方向外側であって高電圧基板４３に対して低電圧基板４２とは反対側に配置された端子台９０の裏側に形成された空間に配置する。【選択図】図５
2010121879.tif 000002
【特許請求の範囲】
【請求項１】
電装品ユニットが前面に配置された空気調和機であって、
前記電装品ユニット内に収容された低電圧基板と、
前記電装品ユニット内において前記低電圧基板と水平方向に近接して配置され、前記低電圧基板より高い電圧が印加される高電圧基板と、
前記低電圧基板又は前記高電圧基板に接続された一端を有する１又は複数の中継コネクタとを備えており、
前記中継コネクタの他端に設けられたコネクタ部は、前記電装品ユニットの水平方向外側であって前記高電圧基板に対して前記低電圧基板とは反対側に配置されていることを特徴とする空気調和機。
【請求項２】
前記電装品ユニットの水平方向外側であって前記高電圧基板に対して前記低電圧基板とは反対側に配置され、前記低電圧基板及び前記高電圧基板に電気的に接続された端子台をさらに備えており、
前記コネクタ部は、前記端子台の裏側に形成された空間に配置されていることを特徴とする請求項１に記載の空気調和機。
【請求項３】
前記端子台は、前記低電圧基板及び前記高電圧基板が配置された面に対して傾斜して設けられていることを特徴とする請求項２に記載の空気調和機。
【発明の詳細な説明】
【技術分野】
【０００１】
本発明は、電装品ユニットが前面に配置された空気調和機に関するものである。
【背景技術】
【０００２】
特許文献１には、低電圧基板と、低電圧基板と水平方向に近接して配置され、低電圧基板よりも高い電圧が印加される高電圧基板とを収容した電装品ユニットが前面に配置された空気調和機が開示されている。
【特許文献１】特開２００１−６５９１６号公報
【発明の開示】
【発明が解決しようとする課題】
【０００３】
一般に、上述のような空気調和機において、電装品ユニットの低電圧基板及び高電圧基板は、カバーによって前面側から覆われている。したがって、低電圧基板及び高電圧基板への電気部品の配線の接続作業を行う際には、カバーを取り外す必要があり、作業が煩雑である。
【０００４】
この本発明は、上記のような課題を解決するためになされたものであり、低電圧基板及び高電圧基板への電気部品の配線の接続作業を容易にできる空気調和機を提供することを目的とする。
【課題を解決するための手段】
【０００５】
第１の発明にかかる空気調和機は、電装品ユニットが前面に配置された空気調和機であって、前記電装品ユニット内に収容された低電圧基板と、前記電装品ユニット内において前記低電圧基板と水平方向に近接して配置され、前記低電圧基板より高い電圧が印加される高電圧基板と、前記低電圧基板又は前記高電圧基板に接続された一端を有する１又は複数の中継コネクタとを備えており、前記中継コネクタの他端に設けられたコネクタ部は、前記電装品ユニットの水平方向外側であって前記高電圧基板に対して前記低電圧基板とは反対側に配置されている。
【０００６】
この空気調和機では、低電圧基板及び高電圧基板がカバーで覆われている場合でも、カバーを取り外すことなく電気部品の低電圧基板及び高電圧基板への接続作業を行うことができる。また、中継コネクタによって、電気部品の配線の接続箇所を一箇所にまとめることができる。したがって、低電圧基板及び高電圧基板への電気部品の配線の接続作業が容易となる。さらに、中継コネクタのコネクタ部が電装品ユニットの水平方向外側に配置されているので、コネクタ部の分だけ空気調和機の厚みが増すのを防ぐことができる。
【０００７】
第２の発明にかかる空気調和機は、第１の発明にかかる空気調和機において、前記電装品ユニットの水平方向外側であって前記高電圧基板に対して前記低電圧基板とは反対側に配置され、前記低電圧基板及び前記高電圧基板に電気的に接続された端子台をさらに備えており、前記コネクタ部は、前記端子台の裏側に形成された空間に配置されていることが好ましい。
【０００８】
この空気調和機では、小型化のために電装品ユニットと端子台とが近接して配置されている場合でも、コネクタ部の配置スペースを確保できる。
【０００９】
第３の発明にかかる空気調和機は、第２の発明にかかる空気調和機において、前記端子台は、前記低電圧基板及び前記高電圧基板が配置された面に対して傾斜して設けられていてもよい。
【００１０】
この空気調和機では、端子台を低電圧基板及び高電圧基板が配置された面に対して傾斜させない場合に比べて、端子台の裏側に形成される空間が大きくなる。したがって、コネクタ部の配置スペースを十分に確保できる。
【発明の効果】
【００１１】
以上の説明に述べたように、本発明によれば、以下の効果が得られる。
【００１２】
第１の発明では、低電圧基板及び高電圧基板がカバーで覆われている場合でも、カバーを取り外すことなく電気部品の低電圧基板及び高電圧基板への接続作業を行うことができる。また、中継コネクタによって、電気部品の配線の接続箇所を一箇所にまとめることができる。したがって、低電圧基板及び高電圧基板への電気部品の配線の接続作業が容易となる。さらに、中継コネクタのコネクタ部が電装品ユニットの水平方向外側に配置されているので、コネクタ部の分だけ空気調和機の厚みが増すのを防ぐことができる。
【００１３】
さらに、第２の発明では、小型化のために電装品ユニットと端子台とが近接して配置されている場合でも、コネクタ部の配置スペースを確保できる。
【００１４】
また、第３の発明では、端子台を低電圧基板及び高電圧基板が配置された面に対して傾斜させない場合に比べて、端子台の裏側に形成される空間が大きくなる。したがって、コネクタ部の配置スペースを十分に確保できる。
【発明を実施するための最良の形態】
【００１５】
以下、図面に基づいて、本発明にかかる空気調和機の一実施形態について説明する。
【００１６】
〔基本構成〕
図１は、本発明の実施形態にかかる空気調和機の室内機１を前方斜め上から見た模式的斜視図である。図２は、図１に示す室内機１を前方から見た模式図である。図３は、図２に示す室内機１のIII−III線に沿う断面模式図である。図４は、図２に示す室内機１の後述する前面パネル２０、前面グリル１７、及びフィルタユニット１５を取り外した模式図である。なお、ここでは室内機１についてのみ説明するが、空気調和機はこの室内機１に室外機などが接続されることにより構成されている。
【００１７】
図１に示すように、本実施形態の室内機１は、全体として一方向に細長い形状を有しており、その長手方向が水平となるように室内の壁面に取り付けられるものである。なお、以下の説明において、室内機１の長手方向を単に「長手方向」と称する。また、室内機１が取り付けられる壁から突出する方向を「前方」とし、その反対の方向を「後方」とする。
【００１８】
この室内機１は、本体ユニット１０と、本体ユニット１０の前面に取り付けられる前面パネル２０とを有して構成される。図３及び図４に示すように、本体ユニット１０は、本体ケーシング１１と、熱交換器ユニット１２と、クロスフローファン１３と、電装品ユニット１４と、フィルタユニット１５と、清掃ユニット１６と、前面グリル１７と、加湿ダクト１９とを含んでいる。
【００１９】
熱交換器ユニット１２、クロスフローファン１３、電装品ユニット１４、フィルタユニット１５、及び加湿ダクト１９は、本体ケーシング１１に取り付けられている。前面グリル１７は、これら熱交換器ユニット１２等の構成部材を覆うように本体ケーシング１１の前面に取り付けられている。清掃ユニット１６は、フィルタユニット１５に当接した状態で保持されるように、前面グリル１７の外側から、当該前面グリル１７の前面に嵌め込まれている。
【００２０】
図１に示すように、前面グリル１７には、天井部分に天面吸込口１７ａが形成されている。当該天面吸込口１７ａは前面グリル１７の天井部分を格子状にして形成されている。また、前面グリル１７の天井部分と前面パネル２０の上端との間には、長手方向に沿って延びる細長形状の隙間である前側吸込口２０ａが形成されている。そして、これら天面吸込口１７ａ及び前側吸込口２０ａから、外部の空気が当該前面グリル１７の内部へ吸い込まれる。
【００２１】
図３に示すように、天面吸込口１７ａ及び前側吸込口２０ａに対向する位置には、フィルタユニット１５によって支持されたエアフィルタ５１が配置されている。エアフィルタ５１は、天面吸込口１７ａと対向する部分の途中まではほぼ水平になっており、そこから前方に向かって外側に湾曲しつつ下方に延びている。このエアフィルタ５１によって、天面吸込口１７ａ又は前側吸込口２０ａを通過する空気に混在する埃等が取り除かれる。
【００２２】
なお、エアフィルタ５１は、フィルタユニット１５に備えられており、且つ図３に示すエアフィルタ５１の下端部近傍に位置するピニオン５２の駆動により移動可能である。すなわち、エアフィルタ５１は、通常運転時には、図３に示す天面吸込口１７ａ及び前側吸込口２０ａに対向する位置にあるが、エアフィルタ５１を清掃する清掃運転時にはピニオン５２が駆動され、ピニオン５２の周囲を通って後方に折り返すように移動する。
【００２３】
清掃ユニット１６は、長手方向に延びるブラシ６１を備えている。そして、清掃ユニット１６は、ブラシ６１がピニオン５２の駆動により移動するエアフィルタ５１の折り返し部分に当接するように、フィルタユニット１５の下方に嵌め込まれている。したがって、清掃運転時にピニオン５２を駆動してエアフィルタ５１を移動させることによって、エアフィルタ５１に付着した埃等をブラシ６１で除去できる。
【００２４】
図３に示すように、清掃ユニット１６の下方であって、後述するドレンパン１１ｃの前方には、電装品ユニット１４が配置されている。図４に示すように、電装品ユニット１４は、長手方向略中央部分に配置されており、電装品ユニット１４の右側方には、交流電圧１００ボルト及び２００ボルトなどの商用電源給電用の端子を有する端子台９０が配置されている。また、電装品ユニット１４の左側方には、図示しない室外機で生成された加湿空気を室内機１に送り込むホースが接続される加湿ダクト１９が配置されている。
【００２５】
熱交換器ユニット１２は、図３及び図４に示すように、本体熱交換器２１と本体熱交換器２１に積層される補助熱交換器２４とを有している。補助熱交換器２４は、冷媒と空気との熱交換を助長するためのものであり、これを備えていることで熱交換器ユニット１２は、高い熱交換効率を実現できる。なお、補助熱交換器２４を本体熱交換器２１に積層するか否かは、必要とされる能力などによって機種毎に異なる。
【００２６】
図３に示すように、本体熱交換器２１は、前側部分２１ａと後側部分２１ｂとを逆Ｖ字状に配置して構成されている。そして、本体熱交換器２１の前側部分２１ａの前面に補助熱交換器２４の前側部分２４ａが取り付けられている。また、本体熱交換器２１の後側部分２１ｂの後面に補助熱交換器２４の後側部分２４ｂが取り付けられている。
【００２７】
ここで、補助熱交換器２４の前側部分２４ａの上下方向に沿う長さは、本体熱交換器２１の前側部分２１ａの上下方向に沿う長さに比べて短い。そして、補助熱交換器２４の前側部分２４ａは、本体熱交換器２１の前側部分２１ａの前面をその上端部及び下端部を残して覆うように取り付けられている。図３に示すように、本体熱交換器２１の前側部分２１ａの前面における補助熱交換器２４で覆われていない下端部に対向する位置には、電装品ユニット１４が配置されている。
【００２８】
本体熱交換器２１及び補助熱交換器２４は、いずれもプレートフィン形の熱交換器である。すなわち、図４に示すように、本体熱交換器２１は、長手方向に沿って等間隔で配置されている薄板状の複数のフィン２２を有しており、補助熱交換器２４は、本体熱交換器２１と同様に、長手方向に等間隔で配置された薄板状の複数のフィン２５を有している。そして、冷媒の流路となる補助配管２７が、本体熱交換器２１の複数のフィン２２及び補助熱交換器２４の複数のフィン２５を長手方向に貫通している。本体熱交換器２１及び補助熱交換器２４の長手方向一端（図４中右側端）に位置する補助配管２７には、補助配管２７内の冷媒の流れを制御する電磁弁２８が設けられている。
【００２９】
なお、熱交換器ユニット１２には、ドレン水が機外に漏れ出すのを防ぐべく、本体熱交換器２１及び補助熱交換器２４の長手方向一端（図４中右側端）に位置する補助配管２７の前面側を覆う防滴カバー１８が取り付けられている。
【００３０】
熱交換器ユニット１２の逆Ｖ字状の内側には、ファンモータ（図示せず）により駆動されるクロスフローファン１３が設けられている。このクロスフローファン１３は軸流ファンと呼ばれているもので、その軸方向が室内機１の長手方向に沿うように配置されている。なお、ファンモータは、クロスフローファン１３の長手方向一端に配置されている。
【００３１】
本体ケーシング１１には、図３に示すように、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｂへ空気を滑らかに導くことができる。
【００３２】
吹出口１７ｂは、長手方向に沿って形成されており、長手方向に延びる軸を中心に回動可能なフラップ１７ｃが設けられている。図示しないフラップモータによってフラップ１７ｃを回動させることで、吹出口１７ｂから吹き出される空気の風向を調整できるようになっている。なお、フラップモータは、図４に示す室内機１の左側端部近傍に配置されている。
【００３３】
さらに、本体ケーシング１１は、吹出口１７ｂの上側に位置するように上側壁面１１ｂを有する。当該上側壁面１１ｂは、本体熱交換器２１の前側部分２１ａの下方に位置するドレンパン１１ｃと一体に成形されている。ドレンパン１１ｃと前面パネル２０との間の位置には、電装品ユニット１４が配置されている。また、本体熱交換器２１の後側部分２１ｂの下方には、後側ドレンパン１１ｄが配置されている。
【００３４】
室内機１においては、上面の天面吸込口１７ａ及び前側吸込口２０ａからクロスフローファン１３によって吸い込まれた室内空気を熱交換器ユニット１２に通過させ冷媒との間で熱交換させることにより、当該空気の冷却又は加熱が行われる。熱交換後の当該空気は、下面の吹出口１７ｂから室内へと吹き出される。
【００３５】
〔電装品ユニットの構成〕
ここで、図５をさらに参照しつつ、電装品ユニット１４の構成についてより詳細に説明する。図５は、図４に示す電装品ユニット１４の太線で示すカバー４１を取り外した状態を示す図である。電装品ユニット１４は、長手方向に延びる支持部材４０に対して水平方向に互いに近接して取り付けられた低電圧基板４２及び高電圧基板４３と、支持部材４０に取り付けられた低電圧基板４２及び高電圧基板４３等を前面側から覆うカバー４１とを備えている。すなわち、これら支持部材４０及びカバー４１は、低電圧基板４２及び高電圧基板４３等を内部に収容する箱状に形成されている。
【００３６】
図４に示すように、カバー４１の中央近傍には、表示パネル４６を露出する開口４６ａが形成されている。なお、前面グリル１７の表示パネル４６に対向する位置にも開口が形成されている。そして、表示パネル４６の表示は、表示パネル４６が前面パネル２０で覆われた状態で、前面パネル２０を透かして、前面側から室内機１を操作する使用者に見えるようになっている。
【００３７】
また、カバー４１における開口４６ａの下方には、表示用ＬＥＤ４７を露出する複数の開口４７ａが形成されている。なお、前面グリル１７の表示用ＬＥＤ４７に対向する位置にも開口が形成されている。そして、図２に示すように、表示用ＬＥＤ４７は、前面パネル２０の下方に位置しており、前面側から室内機１を操作する使用者に見えるようになっている。
【００３８】
図５に示すように、低電圧基板４２は、電装品ユニット１４の左部に位置しており、上述の電磁弁２８、フラップモータ（図示せず）、表示パネル４６、表示用ＬＥＤ４７等の比較的低電圧で駆動する電気部品が接続される。なお、後で詳述するように、電磁弁２８及びフラップモータは、後述する中継コネクタ９１を介して低電圧基板４２に接続されている。
【００３９】
また、高電圧基板４３は、電装品ユニット１４の右部に位置しており、低電圧基板４２よりも高い電圧が印加される。高電圧基板４３には、後で詳述する中継コネクタ９１を介して、比較的高電圧で駆動する電気部品であるファンモータが接続されている。さらに、高電圧基板４３には、端子台９０に設けられた端子に接続された電源ライン等が接続されている。なお、低電圧基板４２及び高電圧基板４３は、基板対基板コネクタ４４によって互いに接続されている。これにより、端子台９０が低電圧基板４２及び高電圧基板４３に電気的に接続され、低電圧基板４２及び高電圧基板４３に電源が供給される。
【００４０】
なお、上述のように、低電圧基板４２が高電圧基板４３に対して端子台９０とは反対側に位置している、すなわち、低電圧基板４２を端子台９０から離れた位置に配置しているので、ノイズを低減することができる。
【００４１】
図５に示すように、その一端が低電圧基板４２及び高電圧基板４３に接続された中継コネクタ９１は、低電圧基板４２及び高電圧基板４３からそれぞれ右方に引き出されている。そして、中継コネクタ９１の低電圧基板４２又は高電圧基板４３に接続された一端とは反対側の他端に形成されたコネクタ部９１ａ（図６参照）は、電装品ユニット１４のカバー４１の外側に位置している。後で詳述するように、中継コネクタ９１のコネクタ部９１ａは、電装品ユニット１４の右側方に位置する端子台９０の後方に配置される。すなわち、コネクタ部９１ａは、高電圧基板４３に対して低電圧基板４２とは反対側に位置している。このような中継コネクタ９１により、電装品ユニット１４のカバー４１を外すことなく、電磁弁２８、フラップモータ、及びファンモータの低電圧基板４２又は高電圧基板４３への接続作業を行うことができる。
【００４２】
〔端子台及びコネクタ部の位置関係〕
続いて、図５に示す端子台近傍の断面図である図６を参照しつつ、端子台９０及び中継コネクタ９１のコネクタ部９１ａの位置関係について説明する。
【００４３】
端子台９０は、支持部材４０の前方に配置されている。ここで、図６に示すように、支持部材４０の低電圧基板４２及び高電圧基板４３が配置される面（図中太線で示す面）は、その上端が下端よりも前方に位置するように傾斜している。そして、端子台９０の背面は、長手方向に平行であり且つほぼ鉛直方向に沿っている。したがって、支持部材４０における低電圧基板４２及び高電圧基板４３の配置面と、端子台９０の背面との間には、図６に示すように、略台形形状の空間が形成される。複数の中継コネクタ９１のコネクタ部９１ａは、この略台形形状の空間にまとめて配置される。
【００４４】
なお、中継コネクタ９１のコネクタ部９１ａに接続された配線が弛んでいる場合には、上述のように端子台９０の裏側に形成された略台形形状の空間に余った配線を収納することができる。
【００４５】
以上のように、本実施形態の室内機１は、低電圧基板４２及び低電圧基板４２よりも高い電圧が印加される高電圧基板４３が収容された電装品ユニット１４が前面に配置されている。低電圧基板４２及び高電圧基板４３は、水平方向に互いに近接して配置されている。そして、低電圧基板４２には、比較的低電圧で駆動する電気部品である電磁弁２８、及びフラップモータを低電圧基板４２に接続するための中継コネクタ９１の一端が接続されている。また、高電圧基板４３には、比較的高電圧で駆動する電気部品であるファンモータを高電圧基板４３に接続するための中継コネクタ９１の一端が接続されている。これら中継コネクタ９１の低電圧基板４２又は高電圧基板４３に接続された一端とは反対の他端に設けられたコネクタ部９１ａは、電装品ユニット１４の水平方向外側であって高電圧基板４３に対して低電圧基板４２とは反対側に配置されている。したがって、電装品ユニット１４のカバー４１を取り外すことなく、電気部品の低電圧基板４２及び高電圧基板４３への接続作業を行うことができる。また、中継コネクタ９１によって、電気部品の配線の接続箇所を一箇所にまとめることができる。よって、低電圧基板４２及び高電圧基板４３への電気部品の配線の接続作業が容易となる。さらに、中継コネクタ９１のコネクタ部９１ａが電装品ユニット１４の水平方向外側に配置されているので、コネクタ部９１ａの分だけ室内機１の厚みが増すのを防ぐことができる。
【００４６】
また、本実施形態の室内機１は、電装品ユニット１４の水平方向外側であって、高電圧基板４３に対して低電圧基板４２とは反対側に配置され、低電圧基板４２及び高電圧基板４３に電気的に接続された端子台９０を備えている。そして、中継コネクタ９１のコネクタ部９１ａは、端子台９０の裏側に形成された空間に配置されている。したがって、室内機１の長手方向の小型化のために電装品ユニット１４と端子台９０とが近接して配置されている場合でも、コネクタ部９１ａの配置スペースを確保できる。
【００４７】
加えて、本実施形態の室内機１では、端子台９０は、低電圧基板４２及び高電圧基板４３が配置された面に対して傾斜して設けられている。したがって、端子台９０を低電圧基板４２及び高電圧基板４３が配置された面に対して傾斜させない場合に比べて、端子台９０の裏側に形成される空間を大きくすることができる。したがって、コネクタ部９１ａの配置スペースを十分に確保できる。
【００４８】
以上、本発明の一実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４９】
例えば、上述の実施形態では、中継コネクタ９１のコネクタ部９１ａが、端子台９０の裏側に形成された空間に配置されている場合について説明したが、これには限定されない。すなわち、電装品ユニット１４と端子台９０とが比較的離れて配置されており、これらの間にスペースがある場合には、コネクタ部９１ａは、電装品ユニット１４と端子台９０との間に配置されていてもよい。
【００５０】
加えて、上述の実施形態では、端子台９０は、低電圧基板４２及び高電圧基板４３が配置された面に対して傾斜して設けられている場合について説明したが、端子台９０は、低電圧基板４２及び高電圧基板４３が配置された面と平行に設けられていてもよい。
【００５１】
さらに、上述の実施形態では、低電圧基板４２に電磁弁２８及びフラップモータを接続するための中継コネクタ９１と、高電圧基板４３にファンモータを接続するための中継コネクタ９１とを備えている場合について説明したが、これら電磁弁、フラップモータ、及びファンモータ以外の電気部品を低電圧基板４２又は高電圧基板４３に接続するための中継コネクタを備えていてもよい。なお、図５における室内機１の右側端部近傍からハーネスが引き出される電気部品であって、高電圧基板４３よりも左側に配置される低電圧基板４２に接続されるものについては、上述のような中継コネクタ９１を設けることによってハーネス長さを効果的に短くすることができる。
【産業上の利用可能性】
【００５２】
本発明を利用すれば、低電圧基板及び高電圧基板への電気部品の配線の接続作業を容易にできる。
【図面の簡単な説明】
【００５３】
【図１】本発明の実施形態にかかる空気調和機の室内機を前方斜め上から見た模式的斜視図である。
【図２】図１に示す室内機を前方から見た模式図である。
【図３】図２に示す室内機のIII−III線に沿う断面模式図である。
【図４】図２に示す室内機の前面パネル、及び前面グリルを取り外した模式図である。
【図５】図２に示す室内機の前面パネル、前面グリル、及びフィルタユニットを取り外した模式図である。
【図６】図５に示す端子台近傍の断面図である。
【符号の説明】
【００５４】
１  室内機（空気調和機）
１４  電装品ユニット
４２  低電圧基板
４３  高電圧基板
９０  端子台
９１  中継コネクタ
９１ａ  コネクタ部
【図１】
2010121879.tif 000003
【図２】
2010121879.tif 000004
【図３】
2010121879.tif 000005
【図４】
2010121879.tif 000006
【図５】
2010121879.tif 000007
【図６】
2010121879.tif 000008